(57)【要約】【課題】複数のペン先片を環状に配列して、各ペン先片の先端を全体形状が先窄み状となるように集合してなるペン先において、どの方向から筆記してもペン先としてのインキ出性能が良好なものとするために、ペン先の先端に充分なインキが流出可能なペン先を得る。【解決手段】先端に開口した切割溝で形成したインキ流出路２５を有した複数のペン先片２３を、軸体２８と、該軸体２８に装着した後端から先端にインキを流出するための前後に貫通したインキ流通路３０とスリット３２を有したペン先片保持部材２７に周状に配列し、ペン先片２３の先端を集合して、全体形状が略円錐状となるようにする。かつペン先片２３のインキ流出路２５の周りの内壁面とペン先片保持部材２７のスリット３２の周りの外壁面との間に、インキ溜り部となる空間部３３を形成する。【選択図】図２
2012020465.tif 000002
【特許請求の範囲】
【請求項１】
複数のペン先片を環状に配列して、各ペン先片の先端を全体形状が先窄み状となるように集合し、ペン先片間で形成される隙間をインキ流出路としたペン先において、各ペン先片の先端部に先端に開口した切割溝を設けて、ペン先片の先端にインキを流出するための第２のインキ流出路としたことを特徴とするペン先。
【請求項２】
先端に開口した切割溝によるインキ流出路を有した複数のペン先片を、インキを収容する軸筒の先端に連接可能な軸体に装着した、先窄み状の前方部を有し、軸筒内に収容したインキを先端に流出するためのインキ流通路と、先端部に一方をインキ流通路に連通し他方を外方に開口したスリットを有したペン先片保持部材の外周上に、環状に配列して、各ペン先片の先端を全体形状が先窄み状となるように集合し、かつ各ペン先片内にペン先片保持部材の前方部が位置し、各ペン先片のインキ流出路が対向するペン先片保持部材の前方部の外壁面と各ペン先片の内壁面との間に毛管作用によりインキ溜り部となる空間部を形成したことを特徴とするペン先。
【発明の詳細な説明】
【技術分野】
【０００１】
本発明は、複数のペン先片を環状に配列して、各ペン先片の先端を全体形状が先窄み状となるように集合したペン先に関する。
【背景技術】
【０００２】
従来、どの方向からも筆記面に筆記できるペン先として、複数のペン先片を環状に配列して設けるとともに、各ペン先片の先端を全体形状が先窄み状となるように集合したペン先は知られている。
【０００３】
こうした構造のペン先として、例えば、特開平７−１８８１号公報により開示されている、一端側を帯状に他端側を櫛歯状に形成した金属製の平板を筒状に折曲して接合することにより、前記帯状の端部側に形成された基部と、さらに前記櫛歯状の端部を円錐形に集合するとともにその先端縁を内方に半球状に丸め成形してなる構造のものがある。
【０００４】
また、特開平９−１５６２７９号公報により開示されている、筒形状の基部とその一端側に、連続して断面円弧状に突出され、軸心の円周上に等間隔に相互の間にスリット状の溝を設けて形成された複数の櫛歯状片とからなり、各櫛歯状片の先端に全体として半球形状を構成する半球分割部を有するペン先基本体と、ペン先基本体の外周状に嵌合可能な筒形に形成され、複数の櫛歯状片を軸心方向に向けて押圧し、収束する収束部材とを備え、ペン先基本体に収束部材を嵌め込むことにより、ペン先基本体の複数の櫛歯状片をその先端方向に向けて漸次縮径する円錐形に収束し、その先端に半球状の筆記部を構成してなる構造のものがある。
【０００５】
またさらに、特開２００３−１６５２９３号公報に開示されている、 ペン先基本体を基部と複数の櫛歯状片、半球分割部とにより構成し、各櫛歯状片を前部片と後部片とに分割して前部片をセラミックス材により形成し、後部片を合成樹脂材により形成し、収束部材により各櫛歯状片を略円錐形に、各半球分割部を略半球状に収束してなる構造のものがある。
【０００６】
こうしたペン先では、筆記時の筆記部となる櫛歯状片（ペン先片）の先端部へインキを流出するためのインキ流出路を、各櫛歯状片間の隙間で構成している。そのために、ペン先としてのインキ出性能は、櫛歯状片（ペン先片）の形状の寸法精度や、保持部材（ペン先片保持部材）に複数の櫛歯状片（ペン先片）を配列する際の隙間の幅等により左右されてしまう。幅が広くなったインキ流出路においてはインキ出性能が悪くなることはないが、幅が狭くなってしまったインキ流出路においてはインキ出が悪くなり、ペン先の周状における筆記の向きにおいてはインキ出が悪くなるペン先が出現してしまうという問題がある。また前記櫛歯状片（ペン先片）が金属製の平板である場合には、前記櫛歯状片をプレス等により塑性変形して円錐形状に形成するので、各櫛歯状片間の隙間はよりバラツキが生じやすく、各々のインキ流出路の幅を一定にすることはより難しく、周状における筆記の向きにおいてどの向きでもインキ出性能が良好なものとするには難しさがあった。
【先行技術文献】
【特許文献】
【０００７】
【特許文献１】特開平７−１８８１号公報
【特許文献２】特開平９−１５６２７９号公報
【特許文献３】特開２００３−３３５０８９号公報
【発明の概要】
【発明が解決しようとする課題】
【０００８】
本発明が解決しようとする課題は、複数のペン先片を環状に配列して、各ペン先片の先端を全体形状が先窄み状となるように集合してなるペン先において、どの方向から筆記してもペン先としてのインキ出性能が良好なものとするために、ペン先の先端に充分なインキが流出可能なペン先を得ることにある。
【課題を解決するための手段】
【０００９】
本発明は、
「１．複数のペン先片を環状に配列して、各ペン先片の先端を全体形状が先窄み状となるように集合し、ペン先片間で形成される隙間をインキ流出路としたペン先において、各ペン先片の先端部に先端に開口した切割溝を設けて、ペン先片の先端にインキを流出するための第２のインキ流出路としたことを特徴とするペン先。
２．先端に開口した切割溝によるインキ流出路を有した複数のペン先片を、インキを収容する軸筒の先端に連接可能な軸体に装着した、先窄み状の前方部を有し、軸筒内に収容したインキを先端に流出するためのインキ流通路と、先端部に一方をインキ流通路に連通し他方を外方に開口したスリットを有したペン先片保持部材の外周上に、環状に配列して、各ペン先片の先端を全体形状が先窄み状となるように集合し、かつ各ペン先片内にペン先片保持部材の前方部が位置し、各ペン先片のインキ流出路が対向するペン先片保持部材の前方部の外壁面と各ペン先片の内壁面との間に毛管作用によりインキ溜り部となる空間部を形成したことを特徴とするペン先。」
である。
【００１０】
請求項１に係る発明のペン先は、複数のペン先片を環状に配列して、各ペン先片の先端を全体形状が先窄み状となるように集合し、ペン先片間で形成される隙間をインキ流出路としたペン先において、ペン先片の先端部に切割溝を形成してペン先の筆記部へインキを流出するための第２のインキ流出路を設けるものである。従来より知られている複数のペン先片で構成された円錐状のペン先は、内部に、軸筒内に収容されたインキをペン先の先端へインキを流出するための、インキ流出手段である繊維状のインキ誘導芯等を設けてあるが、前記切割溝をインキ誘導芯に接するようにすれば毛細管現象によりインキ誘導芯等から切割溝へインキが流出し、切割溝は第２のインキ流出路となる。
【００１１】
請求項２に係る発明のペン先は、ペン先を構成する各部材の寸法精度によりペン先の先端へのインキ流出機能が影響を受けにくい構造のペン先とするために、各ペン先片の先端部に設けた切割溝により、ペン先の先端へ充分なインキを流出できる新たな構造のペン先を提供するものである。本発明では、ペン先片保持部材の外周に、複数のペン先片を環状に配列するが、各ペン先片は、一端側を帯状に連設し他端側に複数のペン先片を有した１つの形体のペン体であっても良いし、各ペン先片が個別に分離した形体であっても良い。また、ペン先片保持部材に形成するインキ流通路は、軸心方向に延びた孔で構成しても良いし、さらに前記孔に繊維状のインキ誘導芯等を挿入して構成しても良く、軸筒内に収容したインキをペン先片保持部材の先端部に確実に流出できればどのような構造でも良い。また、ペン先片保持部材の先端部に形成するスリットの数は、１つでもあるいはペン先片の数だけ設けても良く、限定されないが、空間部にインキが充分に溜まるようにするには３つ以上設けるのが好ましい。
【発明の効果】
【００１２】
本発明は前記したような構造なので、複数のペン先片を環状に配列して、各ペン先片の先端を全体形状が先窄み状となるように集合してなるペン先において、ペン先のどの方向から筆記してもペン先としてのインキ出性能が良好なペン先となった。
【図面の簡単な説明】
【００１３】
【図１】請求項１に係る発明の実施例を示す、ペン先の斜視図である。
【図２】請求項２に係る発明の実施例を示す、ペン先の要部を断面した図である。
【図３】図２におけるＡ−Ａ線部分の拡大端面図である。
【図４】請求項２に係るペン先を装着した筆記具の実施例を示す、筆記具の要部を断面した図である。
【図５】請求項２に係るペン先を装着した筆記具の他の実施例を示す、筆記具の要部を断面した図である。
【発明を実施するための形態】
【００１４】
複数のペン先片を環状に配列して、各ペン先片の先端を全体形状が先窄み状となるように集合してなるペン先において、各ペン先片の先端部に、先端に開口した切割溝からなるインキ流出路を設ける。
【実施例１】
【００１５】
請求項１に係る発明のペン先の実施例を、図１を用いて説明する。本実施例のペン先１は、従来のペン先に見られるように、複数のペン先片２を周状に配列して、各ペン先片２の先端を全体形状が円錐状となるように集合し、インキを収容する軸筒（図示せず）の先端に連接可能な軸体３内に挿着したものである。
【００１６】
前記した各特許文献の特許公報に開示されているように、本実施例のペン先１も、各ペン先片２間で形成される隙間４は、図示していないが、軸筒内に収容したインキをペン先１の先端へインキを流出するために、ペン先１の内部にはインキ流出手段である繊維状のインキ誘導芯等を挿入して配してあり、インキ誘導芯等の先端部がペン先片２の先端部２ａの内壁面と当接しているので、隙間４の毛細管現象でインキ誘導芯等から隙間４にインキが流動し、ペン先１の先端へインキを流出するインキ流出路５となる。
【００１７】
各ペン先２の先端部２ａには、先端に開口した切割溝６を設けてある。該切割溝６も前記と同様の理由から、切割溝６による毛細管現象でインキ誘導芯等から切割溝６にインキが流動するので、切割溝６が第２のインキ流出路７となる。
【実施例２】
【００１８】
図２〜図３は、請求項２に係る発明のペン先の実施例を示す。本実施例のペン先２１は、金属製の平板状で、一端側に隙間２２を介して６つのペン先片２３を有し他端側を連接して連接部２４とし、各ペン先片２３に、先端に開口した切割溝で形成されたインキ流出路２５（図３を参照）を有したペン体２６と、前記ペン先片２３を周状に配列して保持するためのペン先片保持部材２７と、インキを収容する軸筒（図示せず）の先端に連接可能な軸体２８とで構成されている。本実施例において軸体２８は、軸筒に着脱自在に装着できるように、雌ねじ部２９を設けて軸筒に着脱自在に装着可能としてあるが、軸筒に係る内部構造等や軸筒との装着構造については限定されるものではない。
また、本実施例においては各ペン先片２３は１枚のペン体２６として設けてあるが、各ペン先片２３を６枚それぞれ個別に設けたものであっても良い。
【００１９】
前記ペン先片保持部材２７は、軸体２８内に挿着可能な本体部２７ａと前方に先窄み状で本体部２７ａの外径より小径な前方部２７ｂと後端（図２において右側方向）に本体部２７ａの外径より大径な鍔部２７ｃとで構成されており、ペン先片保持部材２７には軸筒内に収容したインキをペン先片保持部材２７の先端にインキを流出するための前後に貫通した孔で形成したインキ流通路３０を設けてある。
【００２０】
軸体２８の内部は、前記ペン先片保持部材２７の本体部２７ａが圧入嵌合可能な内径とした前方内部２８ａと、前記ペン先片保持部材２７の鍔部２７ｃが挿入可能な前記前方内部２８ａの内径より大径な後方内部２８ｂとで構成されている。軸体２８の内部に前記ペン先片保持部材２７を、本体部２７ａを前方内部２８ａに圧入嵌合し、鍔部２７ｃを後方内部２８ｂに位置させて前方内部２８ａの後端に当接して挿着してある。
【００２１】
ペン体２６の連接部２４を周状に形成し、ペン先片２３をプレス等により内側に変形させて全体形状が略円錐状となるように各ペン先片２２の先端を集合した状態で、ペン先片保持部材２７の本体部２７ａの前端部（図２において左側方向）に形成した本体部２７ａの他の外径より小径とした挿着部３１に、ペン体２６の連接部２４を圧入状態で挿着して、各ペン先片２３を周状に配列してある。
【００２２】
ペン先片保持部材２７の前方部２７ｂの先端部２７ｂａには、図３に示すように、インキ流通路３０に連通し軸径方向に放射状に延びて外方に開口したスリット３２を３つ設けてある。また、ペン先片保持部材２７のスリット３２の周りの外壁面と各ペン先片２３のインキ流出路２５の周り内壁面との間に毛管作用によりインキ溜り部となる空間部３３が形成されるように、スリット３２の後方（図において右側方向）に、ペン先片保持部材２７の外壁面が各ペン先片２３の内壁面に当接するようにペン先片保持部材２７に当接部３４を設けるとともに、スリット３２を設けた部分の先端部２７ｂａの外径を、当接部３４の外径より小径としてある。
【００２３】
本実施例のペン先２１は、軸筒内に収容したインキを、ペン先片保持部材２７に形成したインキ流通路３０を通ってペン先片保持部材２７の先端部２７ｂａに流出し、スリット３２を介して空間部３３にインキが溜り、インキ流出路２５を通ってペン体２６の先端にインキを充分に供給する。
【００２４】
次に、本実施例のペン先２１を装着した筆記具の具体例を図４および図５を用いて簡単に説明すると、図４に示す筆記具１０１は、例えば、軸筒１０２の内部に筆記用インキ（図示せず）を直に収容する構造のもので、軸筒１０２の内部をインキ収容部１０３とし、軸筒１０２の先端には、櫛溝１０４と前後端に開口して連通したインキ流出溝（図示せず）を有したペン芯１０５をペン芯保持部材１０６を介して装着してある。この軸筒１０２に前記ペン先２１の軸体２８をねじ嵌合してペン先２１を連接し、ペン芯１０５の前端をペン先片保持部材２７の鍔部２７Ｃの後端に当接して、ペン芯１０５のインキ流出溝とインキ流通路３０を連通させることで、ペン体２６の先端にインキを供給可能とする。
【００２５】
図５に示す筆記具２０１は、例えば、前記ペン先２１を装着する軸筒２０２は、櫛溝２０３と前後端に開口して連通したインキ流出溝（図示せず）を有し、後端にインキカートリッジ２０４を挿着した際にインキ流出防止用のための開口部を閉塞した蓋（図示せず）をずらして開口部を開口するための後方（図５において右側方向）に突出した突出部２０５を有したペン芯２０６をペン芯保持部材２０７を介して装着した前軸２０２ａと、該前軸２０２ａの後端に、ねじ嵌合により着脱自在に連接する、後端を閉塞し前記ペン芯２０６に挿着したインキカートリッジ２０４を収容可能な収容室２０８を有した後軸２０２ｂとで構成されている。前記したペン先２１を前記前軸２０２ａに挿着するには、前軸２０２ａに装着したペン芯２０６の前端をペン先片保持部材２７の鍔部２７Ｃの後端に当接して、ペン芯２０６のインキ流出溝とインキ流通路３０を連通させることで、ペン体２６の先端にインキを供給可能とする。
【産業上の利用可能性】
【００２６】
本発明は、どの方向からも筆記面に筆記できる無方向性のペン先において、ペン先の先端にインキを充分に供給できる構造にしたい場合に適用できる。
【符号の説明】
【００２７】
１  ペン先
２  ペン先片
４  隙間
５  インキ流出路
６  切割溝
７  第２のインキ流出路
２１  ペン先
２３  ペン先片
２５  インキ流出路
２７  ペン先片保持部材
２８  軸体
３０  インキ流通路
３２  スリット
３３  空間部
【図１】
2012020465.tif 000003
【図２】
2012020465.tif 000004
【図３】
2012020465.tif 000005
【図４】
2012020465.tif 000006
【図５】
2012020465.tif 000007
【手続補正書】
【提出日】平成22年8月23日(2010.8.23)
【手続補正１】
【補正対象書類名】明細書
【補正対象項目名】００１３
【補正方法】変更
【補正の内容】
【００１３】
【図１】請求項１に係る発明の実施例を示す、ペン先の斜視図である。
【図２】請求項２に係る発明の実施例を示す、ペン先の内部構造の概略を示す要部を断面した図である。
【図３】図２におけるＡ−Ａ線部分の拡大端面図である。
【図４】請求項２に係るペン先を装着した筆記具の具体例を示した、筆記具の内部構造の概略を示す要部を断面した図である。
【図５】請求項２に係るペン先を装着した筆記具の他の具体例を示した、筆記具の内部構造の概略を示す要部を断面した図である。
【手続補正２】
【補正対象書類名】明細書
【補正対象項目名】００１８
【補正方法】変更
【補正の内容】
【００１８】
図２〜図３は、請求項２に係る発明のペン先の実施例を示す。本実施例のペン先２１は、金属製の平板状で、一端側に隙間２２を介して６つのペン先片２３を有し他端側を連接して連接部２４とし、各ペン先片２３に、先端に開口した切割溝で形成されたインキ流出路２５（図３を参照）を有したペン体２６と、前記ペン先片２３を周状に配列して保持するためのペン先片保持部材２７と、インキを収容する軸筒（図示せず）の先端に連接可能な軸体２８とで構成されている。本実施例において軸体２８は、軸筒に着脱自在に装着できるように、雌ねじ部２９を設けて軸筒に着脱自在に装着可能としてあるが、軸筒に係る内部構造等や軸筒との装着構造については限定されるものではない。また、本実施例においては各ペン先片２３は１枚のペン体２６として設けてあるが、各ペン先片２３を６枚それぞれ個別に設けたものであっても良い。
【手続補正３】
【補正対象書類名】図面
【補正対象項目名】図４
【補正方法】変更
【補正の内容】
【図４】
2012020465.tif 000008
【手続補正４】
【補正対象書類名】図面
【補正対象項目名】図５
【補正方法】変更
【補正の内容】
【図５】
2012020465.tif 000009